(57)【要約】【課題】  操作性に優れた記録装置を提供する。【解決手段】操作レバーによりリフト機構を動作させ排紙トレイ及び拍車ベースを所定の位置に保持固定する手段を設け、ＣＤＲトレイを本体の底面に格納し、操作レバーに連動してスライド機構を動作せしめることで解決。【選択図】  図１
2006187992.tif 000002
【特許請求の範囲】
【請求項１】
操作レバーにより排紙トレイを回動せしめながら拍車ベースを上昇させ、排紙トレイを所定の位置に保持する機構（リフト機構）を有する記録装置であって、前記操作レバーの回動によって本体底部に設けられたスライド機構と連動させるようにしたことを特長とする記録装置。
【請求項２】
上記操作レバーに巻取り部を形成させ、上記スライド機構内の押出し部と巻取り部をワイヤーで連結せしめたことを特長とする請求項１に記載の記録装置。
【請求項３】
上記操作レバーの位置を検知する手段を設け、その信号により上記押出し部を摺動せしめたことを特長とする請求項１に記載の記録装置。
【請求項４】
筐体背面において、ＣＤＲに形成された複数個の穴と対応した位置に複数個のボスを形成せしめたことを特長とする記録装置。
【請求項５】
上記ＣＤＲの穴位置は、上記ボスに挿入されたときＣＤＲトレイの一部が本体より露呈するような部位に構成せしめたことを特長とする請求項５に記載の記録装置。
【発明の詳細な説明】
【技術分野】
【０００１】
本発明は、プリンタ、複写機、ワープロ、パーソナルコンピュータ、ファクシミリ等の記録装置に関し、更には、種々の記録媒体に対応可能な記録装置に関するものである。
【背景技術】
【０００２】
従来この種の記録装置は、図１４のように構成されていた。すなわち、プリンタの外殻をなす本体は、上ケース３０と、下ケース３１と、アクセスカバー３３、不図示の排紙トレイユニットと、フロントカバー３２とその外装部材内に収納されたプリンタユニット（以下「プリンタ」という場合もある）とから構成される。
【０００３】
オペレータが記録紙に印刷する際、下ケース３１に回転自在に取り付けられたフロントカバー３２を回動させ、記録装置前面に開口部を形成させる。次に本体底部に格納され、３部品で構成された排紙トレイユニット（以下「排紙トレイ」という場合もある）を必要に応じて各排紙トレイを引出すことにより用紙積載面を形成し、プリンタより排出された記録紙を順次積載する。
【０００４】
次に、ＣＤＲ印刷について説明をする。
【０００５】
まずフロントカバー３２を回動させ前面に開口部を形成させる。フロントカバー３２の裏面には案内リブが形成され、該リブ上をトレイガイド２８の下面を摺動させながら、下ケース３１前面に形成されたリブに、トレイガイド２８の前方に設けられたロック部（不図示）を係合させる。次にトレイガイド２８の上部に摺動自在に取り付けられたスライダ２９を前方に移動するとトレイガイド２８の突出し部が拍車ベースに当接し上方に移動させ、ＣＤＲトレイ２７に拍車ベースに取り付けられた拍車が干渉しないように空間（隙間）を形成させる。さらにトレイガイド２８に形成された挿入口にＣＤＲトレイ２７を挿入し、所定の位置までＣＤＲトレイ２７を前方（図中矢印方向）に押込む。そこで印刷開始操作を行うと、ＣＤＲトレイ２７にはプリンタユニットによって引き込まれ、ＣＤＲトレイ２７を前後方向に移動させながら、ＣＤＲトレイ２７の所定の位置に積載されたＣＤＲ（不図示）の上面に印刷する。印刷が終了するとスライダ２９を矢印と反対方向に引っ張ることにより、上述した突き出し部が引っ込み拍車ベースを元の位置まで下降し、と同時に、ロック部が下ケース３１のリブとの係合が開放され、トレイガイド２８が記録装置本体より取り外すことができる。取り外したトレイガイド２８は記録装置本体の近くに、あるいは別の何処かに保管するようになっていた。
【０００６】
又、別の従来例としては、特許文献１をあげること出来る。
【特許文献１】特開２００４−０４２３９２号公報
【発明の開示】
【発明が解決しようとする課題】
【０００７】
しかしながら、上記従来例では以下に示す問題点があった。
【０００８】
トレイガイド及びＣＤＲトレイを使用しないときは、何処かに保管しなければならない。トレイガイドは装置が大きいので邪魔になり、ＣＤＲトレイは厚みが薄いので、破損しないように注意深く保管する必要があった。
【０００９】
トレイガイド及びスライダを構成する部品点数が多く、コストが高かった。
【００１０】
拍車ベースを上方に移動させるためにスライダを移動させるが、その際力強く押し込まなければならない。
【００１１】
ＣＤＲトレイの保管場所を忘れたり、紛失することが少なくなかった。
【００１２】
本発明は上記問題点を鑑みてなされたものであり、その目的とするところは操作性に優れた記録装置を提供することである。
【課題を解決するための手段】
【００１３】
上記問題点を解決するため、本発明においては排紙トレイにＣＤＲトレイ搬送機構を設けた記録装置であって、ＣＤＲ印刷を行う際、本体前面に設けられた操作レバーを回動せしめることにより排紙トレイをＣＤＲ印刷位置に移動せしめる手段を有する記録装置であり、前記記録装置において、ＣＤＲトレイを記録装置本体に格納し前記操作レバーを回動せしめると記録装置本体よりＣＤＲトレイが飛び出す手段（スライド機構）を設けた。
【発明の効果】
【００１４】
本発明の構成によれば、操作レバーによりリフト機構を動作させ排紙トレイ及び拍車ベースを所定の位置に保持固定する手段を設け、ＣＤＲトレイを本体の底面し格納し、操作レバーに連動してスライド機構を動作せしめることにより、従来の問題点を解決し快適にＣＤＲ印刷を行うことができる。
【発明を実施するための最良の形態】
【００１５】
（第１の実施の形態）
本発明における記録装置の第１実施形態について説明する。
【００１６】
図１は本発明の第１の実施形態による記録装置本体（以下「本体」ということもある）の斜視図であり、排紙トレイユニット及び給紙トレイを引出したときのものである。
【００１７】
本実施形態におけるプリンタの外殻をなす本体は、下ケース２と、上ケース３と、アクセスカバー６にアクセスウイドウ７を組み込むことにより構成されるアクセスカバーユニット（以下、「アクセスカバー」という場合もある）と、排紙トレイベース１０、第一トレイ１１、第二トレイ１２及び第三トレイ１３より構成される排紙トレイユニット（以下「排紙トレイ」という場合もある）、下ケース２及び上ケース３に脱着自在に保持固定され、特にデザイン要素部品としてのサイドカバーＬ４及びサイドカバーＲ５（サイドカバーＬ４及びサイドカバーＲ５の色を変えることで製品のイメージを変えることができる）、自動給紙装置１７（以下「ＡＳＦ」という場合もある）を覆うＡＳＦカバー１４の外装部材と、その外装部材内に収納されたプリンタユニット（不図示）とから構成される。
【００１８】
下ケース２は本体の下部を、上ケース３は本体の略全体部をそれぞれ形成しており、両ケースの組み合わせによって内部にプリンタ（不図示）を収納する収納空間を有する中空構造をなし、その本体の上面及び前面部にはそれぞれ開口部が形成されている。
【００１９】
さらに、前記排紙トレイベース１０は後述する下ケース２にネジ止めされたギヤボックスＬ３８及びギヤボックスＲ３９に回転移動自在に保持され、その回転移動によって前面部に形成される前記開口部を開閉できる構造になっている。また、排紙トレイカバー３５の裏面には第一トレイ１１、第二トレイ１２及び第三トレイ１３が摺動自在に格納される。該排紙トレイカバー３５を固定爪（不図示）により排紙トレイベース１０に保持固定することにより、排紙トレイユニットを形成する。
【００２０】
このようにして、記録動作を実行させる際に排紙トレイベース１０を本体の前面側へと回転させて開口部を開け、さらには排紙トレイベース１０より第一トレイ１１、第二トレイ１２及び第三トレイ１３を引出しここから用紙が排出可能となり、排出された各用紙は引出された排紙トレイ上に順次積載されていく。また、排紙トレイユニットは３枚のトレイ（第一トレイ１１、第二トレイ１２、第三トレイ１３）がお互いに摺動自在に組込まれて構成されており、必要に応じて各トレイを手前に引出すことにより、用紙の支持面積を３段階に拡大、縮小することが可能になっている。
【００２１】
アクセスカバー６はその一端部が上ケース３に回転自在に保持され、本体の上面に形成される開口部を開閉する構成になっており、このアクセスカバー６を開くことによって本体内部に収納されている記録ヘッドカートリッジ（不図示）あるいはインクタンク（不図示）等の交換が可能となる。アクセスウインドウ７は透明部材で形成されており、アクセスカバー６に複数の固定爪で保持固定されたとき、印刷中に外装内部で移動するキャリッジの動きが見えるようになっている。
【００２２】
なお、ここでは特に図示しないが、アクセスカバーを開閉させると、その裏面に形成された突起がカバー開閉レバーを回転移動させる構成になっており、そのレバーがマイクロスイッチを押圧することにより、アクセスカバーの開閉状態を検出できる構成になっている。
【００２３】
ＡＳＦカバー１４の裏面には第一給紙トレイ１５が回転自在に格納され、第二給紙トレイ１６が該第二給紙トレイ１５に摺動自在に格納される。オペレータは印刷する際、各給紙トレイを回転し引出すことにより、印刷する用紙を自動給紙装置の所定の位置に保持することができる。
【００２４】
また、上ケース３の前面右側には、電源キー８及びレジュームキー９が押下可能に設けられていると共に、ＬＥＤ３７が設けられており、電源キー８を押下すると、ＬＥＤ３７が点灯し記録可能であることをオペレータに知らせるものとなっている。また、ＬＥＤ３７は点滅の仕方や色を変化させ、ブザー（不図示）を鳴らすことにより、プリンタの動作状態やトラブルなどをオペレータに知らせる等種々の表示機能を有する。なお、トラブル等が解決した場合には、レジュームキー９を押下することによって記録が再開されるようになっている。
【００２５】
さらに、上ケース３の前面右側にはカメラダイレクトコネクタ３４が設けられており、デジタルカメラに接続したケーブルを該カメラダイレクトコネクタ３４に差し込めば、パソコン等を介さず、デジタルカメラを操作することにより、デジタルカメラから信号が伝送され記録装置で写真画像等を印刷することができる。
【００２６】
記録装置を使用しないは、排紙トレイベース１０及びＡＳＦカバー１４を回転せしめれば、それぞれの開口部が塞がれ埃、塵及び異物の本体への侵入を防ぐことができる。
【００２７】
図２はＣＤＲ印刷する際の本発明を実施した記録装置の斜視図である。
【００２８】
本体前面に装着された操作レバー１を前方に回転させると、後述するリフト機構に排紙トレイベース１０が回転上昇し、排紙トレイベース１０内部に格納されていたトレイガイドＲ１９が排紙トレイカバー３５の上面に露呈する。排紙トレイカバー３５に常時露呈しているトレイガイドＬ１８によってＣＤＲトレイ２０を本体に挿入するとき幅方向の位置の規制をする。さらには、後述するスライド機構により本体底面よりＣＤＲトレイ２０が前面に飛び出す。操作レバー１は背後からばね等で付勢されているので、オペレータの手から離れると元の位置に戻る。オペレータはＣＤＲトレイ２０を本体底部より取り出し、上述トレイガイドＬ１８及びトレイガイドＲ１９の間にＣＤＲトレイ２０を挿入し（図３）、本体内部に押し出すとプリンタユニットがＣＤＲトレイ２０を引き込みＣＤＲ３６に自動印刷する（図４）。
【００２９】
ＣＤＲ印刷が終了すると（図５参照）、オペレータは排紙トレイベース１０の上部を図中矢印Ａ方向に回転させ、さらに排紙トレイベース１０を下方に移動させ元の位置に戻す。
【００３０】
なお、通常記録紙に印字するときは操作レバー１を使用せず、オペレータは排紙トレイベースの上部を持ち手前側に回転させるだけでよい。
【００３１】
図６は前記拍車ベース及び排紙トレイユニットを上昇させるためのリフト機構を説明する模式図である。
【００３２】
排紙トレイベース１０の側面には貫通穴が形成され、該貫通穴より排紙トレイシャフト４０が左右側面を突き抜けて挿入される。排紙トレイシャフト４０の左右端には伝達ギヤが取り付けられており、該伝達ギヤはギヤボックスＬ３８及びギヤボックスＲ３９に一体形成されたラックに係合する。ギヤボックスＬ３８及びギヤボックスＲ３９は下ケース２にしっかりとネジで固定される。
【００３３】
一方、ギヤボックスＬ３８には扇形の伝達ギヤＩ３９が回転自在に取り付けられ、腕の部分が排紙トレイシャフト４０の軸に挿入されギヤ部分が拍車ベースを上下移動させる伝達ギヤII４６に係合する。なお、ギヤボックスＲ３９の方も同様な構成をとる。
【００３４】
操作レバー１はギヤボックスＬ３８の下部に設けられた軸に回転自在に取り付けられる。また、図８に示すように操作レバー１背面にはカム部１ａが形成され、排紙トレイシャフト４０の左端に当接する。操作レバー１を手前側に回転せしめると、カム部１ａが上昇し排紙トレイシャフト４０を上昇せしめることになるので、排紙トレイベース１０もつれて上昇する。排紙トレイシャフト４０が上昇するにつれて、伝達ギヤＩ３９のギヤ部が回転するので、伝達ギヤII４６を回転させ拍車ベース４１を上昇させる。操作レバー１を所定の位置まで回転させるとカム部１ａの直線部に排紙トレイシャフト４０が当接するので、排紙トレイシャフト４０はその位置で停止し保持される。すなわち、操作レバー１の回転が止まった位置がＣＤＲ印刷ポジションとなるの。排紙トレイを元の位置に戻すには、前述したようにオペレータが排紙トレイの上部を持ち回転させながら下降させる。
次に、本発明を実施したスライド機構について説明する。
【００３５】
図７は本発明を実施したスライド機構を説明する模式図である。
【００３６】
下ケース２には複数箇所アイドラギヤ２１，２２及び２３が回転自在に設けられる。下ケース２の後方にはＬ字形のリブ２ａ及び２ｂが形成される。また、底面には後述する押し出し部材２４の一部が露呈する穴（不図示）が形成される。押し出し部材２４は略コの字形を呈しており、一端にはワイヤー４３が係合され、上面には弾性部材２５の一端が係合される。該弾性部材２５の他端は下ケース２に設けられたフック部２ｃに係合される。
【００３７】
一方、図８に示すように操作レバー１の側面には外周に溝を形成した円盤状の巻取り部１ｂが形成され、溝の所定の位置に前述したワイヤー４３の一端が係合される。
【００３８】
上記構成において操作レバー１を手前側に回転させると（図中Ａ方向）巻取り部１ｂが回転しワイヤー４３を巻き取るので、ワイヤー４３が引っ張られ、押し出し部材２４が排紙方向（図中Ｃ方向）に移動する。操作レバー１を所定の位置まで回転させ、オペレータが操作レバー１より手を離すと、弾性部材２５の復元力により押し出し部材２４が後方（図中Ｄ方向）に引き戻され、それにつられてワイヤー４３も引っ張られ、操作レバー１が元の位置に戻る。なお、通常は弾性部材２５の復元力によりワイヤー４３が引っ張られた状態にあるので、操作レバー１は略直立状態を保つことができる。
【００３９】
図９は本発明を実施した記録装置の裏面からみた斜視図である。
【００４０】
下ケース２の底面にはゴム足（不図示）より低い高さで、Ｌ字形のリブ２ｄ及び２ｅが形成される。該Ｌ字形リブ２ｄ及び２ｅの隙間にＣＤＲトレイ２０が挿入される。後部には上述したスライダ機構で構成された押し出し部材２４の一部が露呈し、ＣＤＲトレイ２０の後部に当接する。前述したように、操作レバー１を回転させると押し出し部材２４が摺動し、ＣＤＲトレイ２０の後部を押しだし、ＣＤＲトレイ２０は図中Ｙ方向に移動し、ＣＤＲトレイ２０の前面が本体より露呈する。
【００４１】
（第２の実施形態）
上記実施例は操作レバー１でワイヤー４３を巻取り、押し出し部材２４を移動せしめる手段をとった。
【００４２】
本発明はこれに限らず、図１０に示すように例えば操作レバー１の底部が着地する位置にスイッチ２６を設けて、該スイッチ２６のＯＮ／ＯＦＦ状態を検知してソレノイド（不図示）あるいはモータ（不図示）を移動または回転させて押し出し部材２４を移動させてもよい。さらに詳しくは、操作レバー１をＡ方向に回転させると底部がスイッチ２６から離れるのでＯＦＦ状態となり、ソレノイド（不図示）を作動させソレノイドより軸を突き出すことにより、押し出し部材を移動させる。操作レバー１をＢ方向に回転させ、所定の位置にまで戻るとスイッチ２６を押圧しＯＮ状態となり、ソレノイドの軸を元の位置に引っ込ませ、弾性部材の復元力により、押し出し部材も元の位置にもどる。ここでスイッチのＯＮ／ＯＦＦ状態は回路で逆にすることもできる。
【００４３】
上記構成により、ワイヤー４３を張り巡らせるためのスペースが省略することが可能となり、下ケース２のスペースを有効活用することができる。
【００４４】
（第３の実施形態）
上記実施例では、スライド機構によりＣＤＲトレイを記録装置底部に収納し、使用する際には記録装置底部より露呈せしめる構成について説明してきた。
【００４５】
第３の実施形態においては、前述したスライド機構を設けず、さらに簡素な構成でＣＤＲトレイを記録装置本体に収納する手段について説明する。
【００４６】
図１１は第３の実施形態における記録装置の斜視図で、特にこの場合背面より見たときのものである。上ケース３の背面には幅方向にボス３ａ及び３ｂが形成される。さらに縦方向には突起３ｃ及び３ｄが形成される。図１２に示すようにＣＤＲトレイ２０には穴２０ａ及び２０ｂが形成される。このうち穴２０ａは、不図示の小さいＣＤＲメディア等に印刷するとき、ＣＤＲホルダーに該ＣＤＲメディアを装着し、さらに該ＣＤＲホルダーをＣＤＲトレイに装着したり、取外すときにオペレータの指を挿入するための穴である。上記ボス３ａ及び３ｂと穴２０ａ及び２０ｂのスパンは略一致しているため。ＣＤＲトレイ２０を前記ボス３ａ及び３ｂに引っ掛け、吊り下げることができる。ここで突起３ｃ及び３ｄは、ＣＤＲトレイを前記ボス３ａ及び３ｂに吊り下げた際、ＣＤＲトレイに設けられたＣＤＲメディアの位置を検出するための反射板（不図示）が上ケース３に接触して破損しないように、上ケース３とＣＤＲトレイ２０との間に適度な隙間を保つためのものである。
【００４７】
このようなこのような構成により、ＣＤＲトレイ２０を記録装置本体背面に吊り下げておくと、図１３に示すように、ＣＤＲの一部が本体より露呈し、オペレータは正面よりＣＤＲトレイ２０の存在を確認することができる。
【図面の簡単な説明】
【００４８】
【図１】本発明を実施した記録装置の斜視図で、通常の印刷を行うときを示すものである。
【図２】本発明を実施した記録装置の斜視図で、ＣＤＲ印刷ポジションを示すものである。
【図３】本発明を実施した記録装置の斜視図で、ＣＤＲトレイを本体に挿入するところを示すものである。
【図４】本発明を実施した記録装置の斜視図で、ＣＤＲ印刷を実行中を示すものである。
【図５】本発明を実施した記録装置の斜視図で、排紙トレイを通常の印刷位置に戻すところを示すものである。
【図６】拍車ベース及び排紙トレイを上昇させるリフト機構を示す斜視図である。
【図７】操作レバーによりＣＤＲトレイを押し出すためのスライド機構を示す斜視図である。
【図８】本発明を実施した操作レバーの斜視図である。
【図９】本発明を実施した記録装置の底部を示す斜視図であって、ＣＤＲトレイを格納し前方に押し出すところを示すものである（スライド機構）。
【図１０】実施例２における記録装置の簡略断面図である。
【図１１】実施例３における記録装置の背面斜視図である。
【図１２】実施例３における記録装置の背面斜視図であり、ＣＤＲトレイを背面に収納したとき（吊り下げたとき）のものである。
【図１３】実施例３における記録装置の正面斜視図である。
【図１４】従来の記録装置を示す斜視図である。
【符号の説明】
【００４９】
１  操作レバー
２  下ケース
３  上ケース
４  サイドカバーＬ
５  サイドカバーＲ
６  アクセスカバー
７  アクセスウインドウ
８  電源キー
９  レジュームキー
１０  排紙トレイベース
１１  第一排紙トレイ
１２  第二排紙トレイ
１３  第三排紙トレイ
１４  ＡＳＦカバー
１５  第一給紙トレイ
１６  第二給紙トレイ
１７  自動給紙装置
１８  トレイガイドＬ
１９  トレイガイドＲ
２０  ＣＤＲトレイ
２１  アイドラギヤ１
２２  アイドラギヤ２
２３  アイドラギヤ３
２４  押し出し部材
２５  弾性部材
２６  検出スイッチ
２７  ＣＤＲトレイ（従来例）
２８  トレイガイド
２９  スライダ
３０  上ケース（従来例）
３１  下ケース（従来例）
３２  フロントカバー
３３  アクセスカバー（従来例）
３４  カメラダイレクトコネクタ
３５  排紙トレイカバー
３７  ＬＥＤ
３８  ギヤボックスＬ
３９  ギヤボックスＲ
４０  排紙トレイシャフト
４１  拍車ベース
４２  目隠し蓋
４３  ワイヤー
（４４  欠番）
４５  伝達ギヤＩ
４６  伝達ギヤII
【図１】
2006187992.tif 000003
【図２】
2006187992.tif 000004
【図３】
2006187992.tif 000005
【図４】
2006187992.tif 000006
【図５】
2006187992.tif 000007
【図６】
2006187992.tif 000008
【図７】
2006187992.tif 000009
【図８】
2006187992.tif 000010
【図９】
2006187992.tif 000011
【図１０】
2006187992.tif 000012
【図１１】
2006187992.tif 000013
【図１２】
2006187992.tif 000014
【図１３】
2006187992.tif 000015
【図１４】
2006187992.tif 000016